(57)【要約】【課題】  改良したＬＥＤ駆動技術を提供する。【解決手段】  本方法は、負荷と関連する制御信号を受け取ることを包含しており、該制御信号はスイッチングモード電源の観点から負荷変化を発生させるべきものである。本方法は、更に、該制御信号に応答して、該電源のインダクタを介しての電流を該電源をして調節させることを包含している。本方法は、更に、該負荷変化の時間を遅延させるために該制御信号の送給を遅延させることを包含しており、該インダクタを介しての該電流は該遅延期間中に増加する。該制御信号は、１個又はそれ以上のＬＥＤをターンオンさせるための要求を包含することが可能である。該負荷は電流調整器を包含することが可能である。本方法は、更に、該インダクタを介しての該電流が特定したレベルに到達するなどのように該遅延の後に該電流調整器へ該要求を供給することを包含することが可能である。該電源の出力に結合されているコンデンサにおける電圧スパイク及び可聴的ノイズを最小とさせることが可能である。【選択図】  図１
2011249328.tif 000002
【特許請求の範囲】
【請求項１】
負荷と関連する制御信号を受け取り、該制御信号はスイッチングモード電源の観点から負荷変化を発生させ、
該電源をして該制御信号に応答して該電源のインダクタを介しての電流を調節させ、且つ
該負荷変化の時間を遅延させるために該制御信号の送給を遅延させ、該インダクタを介しての該電流が遅延期間中に増加する、
ことを包含していることを特徴とする方法。
【請求項２】
請求項１において、
該制御信号が１個又はそれ以上の発光ダイオード（ＬＥＤ）をターンオンさせる要求を有しており、
該負荷が電流調整器を有しており、且つ
本方法が、更に、該遅延の後に該要求を該電流調整器へ供給することを包含している、ことを特徴とする方法。
【請求項３】
請求項２において、該遅延の後に該要求を該電流調整器へ供給する場合に、
該要求を該電流調整器へ供給する前に、該インダクタを介しての電流が特定したレベルに到達するまで待機する、
ことを特徴とする方法。
【請求項４】
請求項３において、該特定したレベルが該電源の少なくとも一つのパラメータに基いている方法。
【請求項５】
請求項４において、更に、
該電流の該特定したレベルを適応的に決定する、
ことを包含していることを特徴とする方法。
【請求項６】
請求項２において、
該１個又はそれ以上のＬＥＤをターンオンさせるための該要求を受け取る場合に、パルス幅変調（ＰＷＭ）制御信号における１個のパルスを受け取り、且つ
該遅延の後に該電流調整器へ該要求を供給する場合に、該ＰＷＭ制御信号における該パルスを遅延させ且つ該遅延させたパルスを該電流調整器へ供給する、
ことを特徴とする方法。
【請求項７】
請求項１において、
該制御信号が１個又はそれ以上の発光ダイオード（ＬＥＤ）をターンオフさせる要求を包含しており、
該負荷が電流調整器を包含しており、且つ
本方法が、更に、該遅延の後に該要求を該電流調整器へ供給することを包含している、
ことを特徴とする方法。
【請求項８】
請求項１において、更に、
該電源の出力に結合されているコンデンサにおける電圧スパイクを最小とさせること、及び
該コンデンサからの可聴的ノイズを最小とさせること、
の内の少なくとも一つを包含していることを特徴とする方法。
【請求項９】
負荷と関連する制御信号であって、スイッチングモード電源の観点から負荷変化を発生させる制御信号を受け取り、該制御信号に応答して該電源のインダクタを介しての電流を該電源をして調節させ、且つ該インダクタを介しての該電流が遅延期間中に増加することを許容するために該負荷変化の時間を遅延させるために該制御信号の送給を遅延させるべく構成されている制御器、
を有していることを特徴とする装置。
【請求項１０】
請求項９において、
該制御信号が１個又はそれ以上の発光ダイオード（ＬＥＤ）をターンオンさせるための要求を有しており、
該負荷が電流調整器を有しており、且つ
該制御器が該遅延の後に該要求を該電流調整器へ供給する構成とされている、
ことを特徴とする装置。
【請求項１１】
請求項１０において、該制御器が、該要求を該電流調整器へ供給する前に該インダクタを介しての該電流が特定したレベルに到達することを待機する構成とされていることを特徴とする装置。
【請求項１２】
請求項１１において、該制御器が該電源の少なくとも１個のパラメータに基いて該特定したレベルを適応的に決定する構成とされていることを特徴とする装置。
【請求項１３】
請求項１０において、
該制御器がパルス幅変調（ＰＷＭ）制御信号における１個のパルスを受け取ることにより該１個又はそれ以上のＬＥＤをターンオンさせるための要求を受け取る構成とされており、且つ
該制御器が該ＰＷＭ制御信号における該パルスを遅延させ且つ該遅延させたパルスを該電流調整器へ供給する構成とされている、
ことを特徴とする装置。
【請求項１４】
請求項９において、該制御器が該電源の出力に結合されているコンデンサにおける電圧スパイクを最小とさせ且つ該コンデンサからの可聴的ノイズを最小とさせる構成とされていることを特徴とする装置。
【請求項１５】
１個又はそれ以上の発光ダイオード（ＬＥＤ）、
該１個又はそれ以上のＬＥＤに対して調整した電圧を発生する構成とされており且つインダクタを有しているスイッチングモード電源、
該１個又はそれ以上のＬＥＤを介しての電流であって該調節された電圧に基く電流を制御する構成とされている電流調整器、
（ｉ）該１個又はそれ以上のＬＥＤをターンオンさせるための要求を受け取り、（ｉｉ）遅延期間中に該要求に応答して該インダクタを介しての電流を該電源をして増加させ、且つ（ｉｉｉ）該遅延期間の後に該要求に応答して該１個又はそれ以上のＬＥＤを該電流調整器をしてターンオンさせる、構成とされている制御器、
を有していることを特徴とするシステム。
【請求項１６】
請求項１５において、該制御器が、該電流調整器へ制御信号を供給する前に、該インダクタを介しての該電流が特定したレベルに到達するまで待機する構成とされていることを特徴とするシステム。
【請求項１７】
請求項１６において、該制御器が、該電源の出力に結合されているコンデンサにおいて、電圧スパイクを最小とさせ且つ可聴的ノイズを最小とさせる構成とされていることを特徴とするシステム。
【請求項１８】
請求項１６において、該制御器が、該電源の少なくとも１個のパラメータに基いて該特定したレベルを適応的に決定する構成とされていることを特徴とするシステム。
【請求項１９】
請求項１５において、
該制御器がパルス幅変調（ＰＷＭ）制御信号における１個のパルスを受け取ることにより該１個又はそれ以上のＬＥＤをターンオンさせるための該要求を受け取る構成とされており、且つ
該制御器が該ＰＷＭ制御信号における該パルスを遅延させ且つ該遅延させたパルスを該電流調整器へ供給する構成とされている、
ことを特徴とするシステム。
【請求項２０】
請求項１５において、該スイッチングモード電源がブーストコンバータを有していることを特徴とするシステム。
【発明の詳細な説明】
【技術分野】
【０００１】
本開示は、大略、駆動システムに関するものである。更に詳細には、本開示は、パルス幅変調（ＰＷＭ）調光制御を具備する発光ダイオード（ＬＥＤ）又はその他の負荷に対するインダクタ予備充電を具備する駆動システムに関するものである。
【背景技術】
【０００２】
多くのシステムは、光を発生させるために発光ダイオード（ＬＥＤ）を使用する。これらのシステムは、しばしば、１個又はそれ以上のＬＥＤを介しての電流を制御し、それによりＬＥＤの明るさを制御するＬＥＤドライバを包含している。ＬＥＤドライバは、ＬＥＤのディミング即ち調光を制御するために使用されるパルス幅変調（ＰＷＭ）信号を受け取ることも可能である。
【発明の概要】
【発明が解決しようとする課題】
【０００３】
多くのＬＥＤドライバは、電源によって発生される出力電圧をフィルターするためにセラミックコンデンサを使用する。しかしながら、ＰＷＭ調光は電源の出力電圧において電圧スパイクを形成する場合がある。セラミックコンデンサが使用される場合には、これらの電圧スパイクはセラミックコンデンサにおいて可聴的なノイズを形成する場合がある。従来のシステムは、しばしば、フィードフォワード（feed-forward control loops）制御ループ（ロバスト即ち堅ろう性の問題を蒙る）又は高速過渡現象制御器（fast transient controllers）（可聴的ノイズを発生する場合がある）を使用してこの問題を解決すべく試みている。
【課題を解決するための手段】
【０００４】
本発明は、以上の点に鑑みなされたものであって、上述した如き従来技術の欠点を解消し改良した駆動システムを提供することを目的とする。更に詳細には、本発明は、パルス幅変調（ＰＷＭ）調光制御を具備する発光ダイオード（ＬＥＤ）又はその他の負荷に対するインダクタ予備充電を具備する駆動システムを提供するものである。
【図面の簡単な説明】
【０００５】
【図１】本発明に基いて発光ダイオード（ＬＥＤ）又はその他の負荷に対してインダクタ予備充電を具備する例示的な駆動システムを示した概略図。
【図２】本発明に基いて図１の駆動システムと関連する例示的な波形を示した波形線図。
【図３】本発明に基いてインダクタ予備充電を使用してＬＥＤ又はその他の負荷の駆動のための例示的な方法を示したフローチャート。
【発明を実施するための形態】
【０００６】
以下に説明する図１乃至３及び本特許文書において本発明の原理を説明するために使用する種々の実施例は、単に、例示的なものであって、本発明の範囲を制限するようなどのような態様においても解釈されるべきものではない。当業者等は、本発明の原理を適宜構成された任意のタイプの装置又はシステムにおいて実現することが可能であることを理解する。
【０００７】
図１は、本開示に基く発光ダイオード（ＬＥＤ）又はその他の負荷に対するインダクタ予備充電（inductor pre-charging）を具備する例示的な駆動システム１００を例示している。この例において、駆動システム１００は、スイッチングモード電源１０２及び１個又はそれ以上のＬＥＤストリング１０４ａと電流調整器１０６とによって形成されている負荷を包含している。電源１０２は、通常、入力電圧ＶＩＮを受け取り且つ調整された出力電圧ＶＯＵＴを発生する。電源１０２は、バック（buck）、ブースト（boost）、ＳＥＰＩＣ，又はフライバックコンバータなどの、調整した出力電圧を発生するための任意の適宜の構成を包含している。入力電圧ＶＩＮは、バッテリ等の任意の適宜の電源によって供給することが可能である。
【０００８】
この例においては、電源１０２はブーストコンバータを表しており、それは入力電圧ＶＩＮよりも一層大きな出力電圧ＶＯＵＴを発生する。この特定の実現例においては、電源１０２は、スイッチ１１０とダイオード１１２とに結合されているインダクタ１０８を包含しており、該ダイオード１１２は出力コンデンサ１１４へ結合されている。インダクタ１０８は、任意の適宜のインダクタンスを持った任意の適宜の誘導性構成を包含している。スイッチ１１０は、パワートランジスタ等の任意の適宜のスイッチング装置を表している。ダイオード１１２は電流の流れを実質的に一方向へ制限する任意の適宜の構成を表している。注意すべきことであるが、ダイオード１１２は双方向の電流の流れを許容するスイッチで置換させることが可能である。出力コンデンサ１１４は、セラミックコンデンサ等の任意の適宜の容量を持った任意の適宜の容量性構成を包含している。電源１０２は、通常、ゲート駆動信号を使用してスイッチ１１０を開閉させることによって動作し、その場合に、ゲート駆動信号のデューティサイクルは所望の出力電圧ＶＯＵＴを与えるべく調節することが可能である。
【０００９】
各ＬＥＤストリング１０４ａ−１０４ｎは、１個又はそれ以上のＬＥＤ１１６を包含している。各ＬＥＤ１１６は光を発生するための任意の適宜の半導体構成を包含している。この例においては、ＬＥＤ１１６は直列結合されて１個のストリングを形成しており、且つ複数のストリング１０４ａ−１０４ｎが並列に結合されている。しかしながら、ＬＥＤ１１６の直列及び／又は並列接続が関与する任意のその他の形態を使用することも可能である。
【００１０】
電流調整器１０６は、ＬＥＤ１１６を介して流れる電流Ｉを調整する。幾つかの実施例において、電流調整器１０６は、各ストリング１０４ａ−１０４ｎを介して等しい量の電流が流れることを確保するために電流を調整する（しかしながら、等しい電流を使用することが必要なものではない）。電流調整器１０６は、線形電流調整器等の１個又はそれ以上のＬＥＤを介しての電流を調整するために任意の適宜の構成を包含している。
【００１１】
この例においては、電流調整器１０６は、パルス幅変調（ＰＷＭ）調光制御の使用をサポートしている。ＰＷＭ調光制御信号１１８をＬＥＤ１１６の明るさを調節するために使用することが可能である。例えば、電流調整器１０６はＬＥＤ１１６を介しての電流Ｉをターンオン又はターンオフさせて、ＬＥＤ１１６を介しての平均電流を調節（従って、ＬＥＤの明るさを調節）することが可能である。このことは、ＰＷＭ制御信号１１８のデューティサイクルに基いて行うことが可能である。
【００１２】
ＬＥＤ１１６の明るさにおける変化は、電源１０２に対する負荷変化として実効的に表われる。従って、電源１０２の出力電圧ＶＯＵＴにおいて電圧スパイクが表われる場合がある。これらの電圧スパイクは出力コンデンサ１１４において可聴的なノイズを形成する場合がある。この問題は、セラミック出力コンデンサ１１４が使用される場合に特に顕著である場合がある。
【００１３】
その可聴的なノイズは、スイッチングモード電源１０２の過渡的状態に起因して形成される場合がある。インダクタ１０８を介しての電流ＩＬは、ＬＥＤ１１６がターンオフされる場合にほぼ０Ａであり且つＬＥＤ１１６がターンオンされる場合に一層高いものである場合がある。その過渡的状態は、インダクタ電流ＩＬが約０Ａから定常状態値ＩＬＥＤへ向けて迅速に増加する場合に発生する。この過渡的状態期間中に、ＬＥＤ電流Ｉの少なくとも一部が出力コンデンサ１１４を放電することにより与えられる。このことは、出力コンデンサ１１４において大きな電圧スパイクを形成させることとなり、可聴的なノイズを発生させることとなる。
【００１４】
本開示によれば、駆動システム１００は、電源１０２の過渡的状態期間中に出力コンデンサ１１４の放電を減少させるか又は最小とさせることによって出力コンデンサ１１４において形成される可聴的ノイズを減少させるか又は最小とさせることが可能である。このことは、例えば、ＬＥＤ１１６がターンオンされる時間を遅延させ、そのことがＬＥＤ電流Ｉの増加を遅延させることにより達成することが可能である。このことは、出力コンデンサ１１４の多くの（存在する場合）放電を必要とすること無しにインダクタ電流ＩＬが増加することを許容し、それにより可聴的ノイズを減少させるか又は取り除いている。この動作の例示的な詳細を図２に示してある。
【００１５】
図２は、本開示に基く図１の駆動システム１００と関連する例示的な波形２００を例示している。図２において、波形２０２はＰＷＭ調光制御信号１１８を表しており、且つ波形２０４はＬＥＤ電流Ｉを表している。又、波形２０６はインダクタ電流ＩＬを表しており、且つ波形２０８はコンデンサ１１４を横断しての電圧を表している。
【００１６】
図２に示した如く、波形２０２は時刻ｔ１において高へ移行する。通常は、このことはＬＥＤ１１６をターンオンさせ、ＬＥＤ電流Ｉをすぐさま増加させることとなる。しかしながら、この場合には、ＬＥＤ１１６を直ぐにターンオンさせる代わりに、駆動システム１００は短い遅延を与え且つＬＥＤ１１６を時刻ｔ２においてターンオンさせる。時刻ｔ２において、ＬＥＤ電流Ｉは定常状態レベルＩＬＥＤへ迅速に増加し且つＬＥＤ１１６をして光を発生させる。
【００１７】
ＬＥＤ１１６をターンオンさせる場合の遅延は、スイッチングモード電源１０２の過渡的状態にほぼ又は正確に対応することが可能である。過渡的状態期間中、インダクタ電流ＩＬは、約０Ａから理想的にはＩＬＥＤ／（１−ｄ）（注意すべきことであるが、電力損失がこの式に影響を与える場合がある）として表される定常状態値又はその近傍へ増加する。この過渡的状態期間中に、出力コンデンサ１１４は幾らか放電するが、ＬＥＤ１１６が時刻ｔ１においてターンオンされたとした場合のもの程ではない。その結果、出力コンデンサ１１４の放電は減少させるか又は取り除くことが可能であり、そのことは、又、出力コンデンサの電圧における電圧スパイクの過酷さを減少させる。
【００１８】
過渡的状態の後に、スイッチングモード電源１０２は定常状態に入り、その場合に、インダクタ電流ＩＬは理想的に値ＩＬＥＤ／（１−ｄ）の回りでリップル動作する。この時間期間中、出力コンデンサ１１４上の電圧も或る点の回りにリップル動作する場合があるが、これらのリップルは小さく且つ周波数が高いものであり、従って、可聴的なノイズを発生することは殆ど無いか又は全く無い。
【００１９】
この様に、駆動システム１００は出力電圧ＶＯＵＴにおける電圧スパイクの数及び／又は過酷性を減少させることが可能である。これらの電圧スパイクは出力コンデンサ１１４における可聴的ノイズに関連しているので、このことは出力コンデンサ１１４によって発生される可聴的ノイズを減少させるか又は除去する場合もある。このことは、例えば、出力コンデンサ１１４としてセラミックコンデンサが使用される場合に特に有用である場合がある。
【００２０】
幾つかの実施例において、ＩＬＥＤの値は、しばしば、前以て分かっており、且つＩＬＥＤ／（１−ｄ）におけるｄの値は、しばしば、入力及び出力電圧ＶＩＮ及びＶＯＵＴ及び／又は電源のパラメータの関数である。入力及び出力電圧ＶＩＮ及びＶＯＵＴは、典型的に、オンラインで測定することが可能であり、ＩＬＥＤ／（１−ｄ）の値は、しばしば、システム１００において適応的に決定することが可能であることを意味している。
【００２１】
ＬＥＤ１１６をターンオンする場合の遅延をサポートするために、駆動システム１００は制御器１２０を包含している。制御器１２０は、スイッチングモード電源１０２の過渡的状態期間中に出力コンデンサ１１４の放電を減少させるか又は最小とさせることを助けるために種々のオプションを実施することが可能である。例えば、制御器１２０は入力及び出力電圧を測定し且つＩＬＥＤ／（１−ｄ）の値を計算することが可能である。制御器１２０は、又、制御信号１１８を受け取ることが可能である。制御信号１１８が高へ移行することを検知することに応答して（図２における如く）、制御器１２０は電源１０２をしてインダクタ電流ＩＬが増加することを開始させることが可能である。インダクタ電流ＩＬがスレッシュホールド点（定常状態値ＩＬＥＤ／（１−ｄ）など）に到達すると、制御器１２０は電流調整器１０６への制御信号１１８内に高パルスを与えることが可能である。このことは電流調整器１０６をしてＬＥＤ１１６をターンオンさせる。制御器１２０は実効的に制御信号１１８を遅延させ、従って、電流調整器１０６がＬＥＤをターンオンさせる時間を遅延させ、インダクタ電流ＩＬが増加することを許容し且つ出力コンデンサ１１４の放電を減少させる。
【００２２】
注意すべきことであるが、ＬＥＤ１１６をターンオンさせる場合の遅延は数マイクロ秒に過ぎない場合があり、そのことは、調光周波数が比較的に遅い場合に（例えば、約１ｋＨｚに対して約２００Ｈｚ）は無視可能なものである場合がある。更に注意すべきことであるが、このアプローチは調光サイクルの全範囲にわたり高度にロバストなものである場合がある。更に、注意すべきことであるが、出力コンデンサ１１４の容量を減少させることは、通常、システム１００の過渡的及び定常状態応答の両方に提供を与える。しかしながら、ここでは、出力コンデンサ１１４の容量を減少させることは、システム１００の定常状態応答に顕著に影響を与えるに過ぎない。過渡的状態期間中の電圧降下は減少されるか又は取り除かれる場合があり、その結果電圧アンダーシュートはより少なくなる。その結果、電源１０２の公称出力電圧は一層低く設定することが可能であり、一層高い周波数を得ることが可能であり、且つより小型であるか又はより廉価な出力コンデンサ１１４を使用することが可能である。
【００２３】
上の説明では制御器１２０がＩＬＥＤ／（１−ｄ）の値を決定するものとして説明してあるが、このことは必ずしも必要なことではない。例えば、制御器１２０は電源１０２をしてＰＷＭ調光制御信号１１８におけるパルスに応答してインダクタ電流ＩＬを増加させることを開始させる場合があり、且つ制御器１２０は、次いで、固定又は可変遅延の後に、ＰＷＭ調光制御信号１１８を電流調整器１０６へ供給する場合がある。固定遅延は予測されるＶＩＮ及びＶＯＵＴ値に基いて推定される短い遅延を表すことが可能である。可変遅延は任意のその他の適宜の特性に基くものとすることが可能である。
【００２４】
制御器１２０は、電源の出力電圧におけるスパイクを減少させるか又は最小とさせるために駆動システムを制御するための任意の適宜の構成を包含している。制御器１２０は、例えば、マイクロプロセッサ、マイクロコントローラ、デジタル信号プロセッサ、フィールドプログラマブルゲートアレイ、又は応用特定集積回路とすることが可能である。
【００２５】
図１に示した例において、電源１０２によって駆動される負荷は、ＬＥＤ１１６及び電流調整器１０６を包含している。又、電流調整器１０６に対する制御信号１１８を遅延させることにより可聴的ノイズを減少させるか又は最小とさせることが可能であり、そのことは（電源１０２の観点から）インダクタ電流ＩＬが増加する迄負荷変化を実効的に遅延させる。しかしながら、インダクタ電流ＩＬが増加することを許容するために負荷変化を遅延させるこの技術は、任意の適宜の負荷と共に使用することが可能であり、且つ単にＬＥＤと共に使用することに制限されるものではない。又、負荷変化を遅延させるために、ここでは、電流調整器１０６に対する制御信号１１８を遅延させることが使用されているが、負荷変化を遅延させるために任意の適宜の技術を使用することが可能である。更に、上の説明はインダクタ電流ＩＬが増加することを可能とさせるために負荷変化をどのようにして遅延させるかについて説明している。インダクタ電流ＩＬが減少することを可能とするために（例えば、ＬＥＤ１１６がターンオフされる場合）、制御器１２０は、ＬＥＤ１１６をターンオフする前に、ＬＥＤ電流Ｉが約０Ａへ降下することを許容するためにスイッチ１１０のスイッチングを停止させることが可能である。
【００２６】
図１はインダクタ予備充電を具備する駆動システム１００の１例を例示しているが、図１に対して種々の変更を行うことが可能である。例えば、システム１００は任意の数の電源、ＬＥＤ、ＬＥＤストリング、電流調整器、及び制御器を包含することが可能である。又、図１に示した機能的分割は例示的なものに過ぎない。図１における種々のコンポーネントを結合させ、更に細分化し、又は省略することが可能であり、且つ付加的なコンポーネントを特定の必要性に従って付加させることが可能である。特定の例として、図１においてはブーストコンバータが示されているが、電源１０２はその他のスイッチングコンバータを実現することが可能である。別の特定の例として、制御器１２０は電流制御器１０６又は電源１０２内に組み込むことが可能である。図２は図１のＬＥＤ駆動システム１００と関連する波形２０２−２０８の例を例示しているが、図２に対して種々の変更を行うことが可能である。例えば、図２は駆動システム１００において表われる場合がある波形を例示しているに過ぎない。波形２０２−２０８によって表される信号は、駆動システム１００の動作期間中に、変化する場合があり且つその他の特性を有する場合がある。
【００２７】
図３は、この開示に基くインダクタ予備充電を使用してＬＥＤ又はその他の負荷の駆動に対する例示的な方法３００を例示している。図３に示した如く、負荷を調節するための制御信号がステップ３０２において受け取られる。このことは、例えば、システム１００内の制御器１２０がＰＷＭ調光制御信号１１８を受け取ることを包含することが可能である。制御信号１１８は、ＬＥＤ１１６がターンオンされるべき時に高へパルス動作することが可能である。しかしながら、注意すべきことであるが、該制御信号は任意のその他の負荷変化と関連させることが可能である。
【００２８】
それに応答して、ステップ３０４において、電源が動作されてインダクタ電流を変化させることを開始する。このことは、例えば、制御器１２０がスイッチ１１０を制御するためのゲート駆動信号を発生することを包含することが可能である。該ゲート駆動信号は、インダクタ電流ＩＬを増加させる必要な出力電圧ＶＯＵＴを発生することを開始するために、スイッチ１１０を開閉させることが可能である。
【００２９】
該負荷への該制御信号の送給はステップ３０６において変更される。このことは、例えば、ＰＷＭ調光制御信号におけるパルスを電流調整器１０６へ送る前に、インダクタ電流ＩＬが或るスレッシュホールド値へ増加することを制御器１２０が待機することを包含することが可能である。該スレッシュホールド値は適応的に決定することが可能である。例えば、ＬＥＤ駆動システム１００がＰＷＭ調光制御信号１１８の新たな値を受け取るたびに、制御器１２０は入力電圧ＶＩＮ及び出力電圧ＶＯＵＴを測定し、次いで、出力電圧ＶＯＵＴを維持するために必要なデューティサイクルｄを決定することが可能である。デューティサイクルｄは、ＰＷＭ調光制御信号１１８の新たな値に対してＩＬＥＤ／（１−ｄ）の値を計算するために使用することが可能である。次にＰＷＭ調光制御信号１１８の値を受け取ると、制御器１２０は、計算されたスレッシュホールド値ＩＬＥＤ／（１−ｄ）を受け取ることが可能である。
【００３０】
該制御信号は、ステップ３０８において、負荷へ供給され、且つ本システムはステップ３１０において該負荷を介して電流を供給するために動作される。このことは、例えば、制御器１２０が電流調整器１０６に対してＰＷＭ調光制御信号１１８において高パルスを与えることを包含することが可能である。電流調整器１０６は、次いで、ＬＥＤ電流ＩをＬＥＤ１１６を介して流れることを可能とさせ、ＬＥＤ１１６をターンオンさせるべく動作させることが可能である。しかしながら、ＬＥＤ１１６は該遅延の後にターンオンされ、そのことは、出力コンデンサ１１４を著しく放電させることなしに、インダクタ電流ＩＬが増加することを許容する。このことは、そうでなければ、出力コンデンサ１１４において可聴的ノイズを形成する場合がある大きな電圧スパイクを回避することに貢献する。
【００３１】
図３はインダクタ予備充電を使用してのＬＥＤ駆動のための方法３００の１例を例示しているが、図３に対して種々の変更をなすことが可能である。例えば、一連のステップとして示してあるが、図３における種々のステップは、オーバーラップするか、並列的に発生するか、異なる順番で発生するか、又は複数回発生することが可能である。特定の例として、制御器１２０は、インダクタ電流ＩＬが増加することを許容するために、ＬＥＤ１１６がターンオンされる場合に、制御信号１１８を遅延させることが可能である。制御器１２０は、又、ＬＥＤ１１６をターンオフさせる前に、インダクタ電流ＩＬが減少することを許容するための手続を取ることが可能である。いずれの場合においても、制御器１２０は、出力コンデンサ１１４における電圧スパイクを減少させるか又は最小とさせるために、電流調整器１０６への制御信号１１８の送給を調節する。
【００３２】
本特許文書において使用した或る単語及び用語の定義を説明することが有益的である場合がある。「結合」という用語及びその派生語は、互いに物理的に接触しているか否かに拘わらずに、２個又はそれ以上のコンポーネントの間の直接的又は間接的な通信のことを意味している。「包含する」及び「有する」という用語、及びそれらの派生語は、制限無しでの包含のことを意味している。「又は」という用語は包含的であって、及び／又はのことを意味している。「と関連する」及び「それと関連する」という用語及びそれらの派生語は、包含すること、その中に包含されること、それと相互接続すること、含有すること、その中に含有されること、それに又はそれと接続すること、それに又はそれと結合すること、それと通信可能であること、それと協働すること、インターリーブすること、並置すること、近接させること、それに近接していること、それに又はそれと共にバインドされていること、持っていること、その特性を持っていること、それに対し又はそれと共に関係を有していること等を意味する場合がある。
【００３３】
この開示は或る実施例及び概略関連する方法を記載しているが、これらの実施例及び方法の変更例及び変形例は当業者にとって明らかである。従って、上の例示的実施例の説明は本発明を定義付けするものでも拘束するものでもない。その他の変形例、置換例、及び変更例も特許請求の範囲に定義される如き本発明の精神及び範囲を逸脱することなしに可能なものである。
【符号の説明】
【００３４】
１００：  駆動システム
１０２：  スイッチングモード電源
１０４：  ＬＥＤストリング
１０６：  電流調整器
１１６：  ＬＥＤ
１２０：  制御器
【図１】
2011249328.tif 000003
【図２】
2011249328.tif 000004
【図３】
2011249328.tif 000005